(57)【要約】【課題】  連続用紙での用紙終端付近でも印刷品質を低下させず、用紙残量が多い時の印刷と同等の印刷品質を得ることである。【解決手段】  印刷行と垂直方向に所定ピッチで並べられた複数のハンマピンを搭載し桁方向に沿って往復移動するハンマ駆動手段と、該ハンマ駆動手段を往復移動させるためのシャトル機構部とを備え、シャトルの往復移動の過程で印刷ハンマを駆動し、印字用紙終端を感知する用紙終端センサを有するドットプリンタにおいて、用紙終端センサ感知後、印刷開始方向を一定方向に固定して印刷、若しくはフェージング値を補正して印刷を行うことを特徴とする。【選択図】  図１
2007144695.tif 000002
【特許請求の範囲】
【請求項１】
印刷行と垂直方向に所定ピッチで並べられた複数のハンマピンを搭載し桁方向に沿って往復移動するハンマ駆動手段と、該ハンマ駆動手段を往復移動させるためのシャトル機構部とを備え、シャトルの往復移動の過程で印刷ハンマを駆動し、印字用紙終端を感知する用紙終端センサを有するドットプリンタにおいて、用紙終端センサ感知後、印刷開始方向を一定方向に固定して印刷を行う事を特徴とするドットラインプリンタの印刷制御方法。
【請求項２】
印刷行と垂直方向に所定ピッチで並べられた複数のハンマピンを搭載し桁方向に沿って往復移動するハンマ駆動手段と、該ハンマ駆動手段を往復移動させるためのシャトル機構部とを備え、シャトルの往復移動の過程で印刷ハンマを駆動し、印字用紙終端を感知する用紙終端センサを有するドットプリンタにおいて、用紙終端センサ感知後、フェージング値を補正して印刷を行う事を特徴とするドットラインプリンタの印刷制御方法。
【請求項３】
印刷行と垂直方向に所定ピッチで並べられた複数のハンマピンを搭載し桁方向に沿って往復移動するハンマ駆動手段と、該ハンマ駆動手段を往復移動させるためのシャトル機構部とを備え、シャトルの往復移動の過程で印刷ハンマを駆動し、印字用紙終端を感知する用紙終端センサを有するドットプリンタにおいて、用紙終端センサ感知後、印刷開始方向を一定方向に固定して行う印刷とフェージング値を補正して行う印刷を切り替え可能とし、オペレータパネルから選択可能にした事を特徴とするドットラインプリンタの印刷制御方法。
【発明の詳細な説明】
【技術分野】
【０００１】
本発明は、ドットラインプリンタの印刷制御方法に関するものである。
【背景技術】
【０００２】
ドット印刷を行う代表的な印刷装置としてドットラインプリンタが挙げられる。ドットラインプリンタはドット印刷を行う印刷ハンマを実装したハンマ駆動手段を、シャトル機構部により桁方向に往復運動させ、印刷を行うプリンタである。印刷ハンマは、板バネの先端にハンマピンを取り付けた構成となっており、板バネに予め持たせた撓みエネルギーを開放することで印刷ハンマを駆動し、インクを含浸したインクリボンを介して印刷用紙にドット印刷を行うプリンタである。
上述したドットラインプリンタにおいては、特に用紙終端付近で印字用紙の重量低下による張力低下によって、ハンマ駆動手段の往復移動に伴って、用紙がハンマ駆動手段の移動方向と同方向に振られ易くなり、シャトルの印刷開始方向によって印刷位置が異なって、印刷品質が低下するという問題があった。
【発明の開示】
【発明が解決しようとする課題】
【０００３】
ドットプリンタで使用される印字用紙は給料明細、宅配便伝票等多様化している。このため、印字用紙は、複写用紙を何枚も重ねた印字用紙の使用頻度が高くなってきている。特に宅配便伝票に印刷する場合、文字だけではなくバーコード、会社ロゴ等の鮮明な印刷が要求されている。また、ユーザで使用される印字用紙は特別仕様で作成された印字用紙が多く、汎用紙に比べ高価であるため、印字用紙は無駄なく最終ページまで高品質で印刷することが要求される。
【０００４】
これらのことから、本発明は、用紙終端付近でも印刷品質を低下させず、用紙終端付近以外の時の印刷と同等の印刷品質を得ることを目的とする。
【課題を解決するための手段】
【０００５】
上記目的は、用紙終端センサ感知後、印刷開始方向を一定方向に固定して印刷を行う、若しくはフェージング値を補正して印刷を行うことによって達成される。
【発明の効果】
【０００６】
本発明によれば、各々のプリンタ毎に用紙終端付近での印刷を、印刷開始のシャトル方向が一定方向に固定する制御方式か、或いは用紙振られに応じたフェージング値に補正する制御方式かを選択可能とし、いずれかの方式を採用することで、印刷品質の低下を最小限に抑えることができる。
【発明を実施するための最良の形態】
【０００７】
以下、図面を参照して本発明を説明する。
【０００８】
図１は本発明の印刷制御行うためのプリンタ制御にかかるブロック図、図２は本発明の印刷制御方式のフローチャートである。
【０００９】
図１において、１はエンジン制御部、２は印刷データ受信バッファ、３は印刷制御バッファ、４は不揮発性メモリ、５はマイコン、６は印刷タイミング生成手段、７はオペレータパネル、８は用紙終端検出センサ、９はハンマ駆動手段、１０は印刷ハンマ、１１はシャトル位置検出センサ、１２はシャトルである。
【００１０】
なお、マイコン５には、不揮発性メモリ４から読み込んだ情報を記憶するための内部メモリと、用紙終端センサ検出後の改行量をカウントする手段を備える。
【００１１】
フェージング値、用紙終端印刷時のフェージング補正値、および用紙終端時の印刷方式は、前もって用紙終端付近で印刷させ、その結果に応じてオペレータパネル７よりマイコン５を介して不揮発性メモリ４にセットしておく。
【００１２】
電源投入時、マイコン５は予め設定されたフェージング値、用紙終端印刷時のフェージング補正値、および用紙終端印刷方式を不揮発性メモリ４から読み取り、内部メモリに記憶し、フェージング値を印刷タイミング生成手段６に設定する。
【００１３】
上位装置（図示せず）から転送された印刷データは、印刷データ受信バッファ２に格納され、マイコン５は用紙終端検出センサ８を読み取り、用紙終端を検出すると、改行量をカウントする。その結果、ｎ（ｎは０以上の任意の整数）行以上改行されていれば、用紙終端付近の印刷と判断し、内部メモリから読み出した用紙終端印刷方式を判定し、シャトル一定方向固定方式の場合は、シャトルセンサ１１を読み取り、シャトル方向が右から左（または左から右）のときのみ、印刷データ受信バッファ２に格納された印字データを印刷制御バッファ３に転送して、印刷タイミング生成手段６により印刷を開始し、シャトル方向が左から右（または右から左）の場合は印字データを印刷制御バッファ３に転送せず、シャトル１２のみをストロークさせる。また、用紙終端印刷方式がフェージング値補正方式であれば、フェージング補正値を基に新たなフェージングを算出して印刷タイミング生成回路６に再設定し、印刷データ受信バッファ２に格納された印字データを印刷制御バッファ３に転送し印刷タイミング生成手段６により印刷する。
【００１４】
一方、用紙終端印刷方式が設定されていなかった（または無効が設定）場合は、通常印刷動作を実行する（図２参照）。以上のようにシャトル印刷開始方向を固定にするか、若しくはフェージング値を補正することによって、用紙終端付近での印刷品質低下を最小限に抑えることができる。
【図面の簡単な説明】
【００１５】
【図１】本発明の一例となるブロック図である。
【図２】本発明の一例となるフローチャートである。
【符号の説明】
【００１６】
１はエンジン制御部、２は印刷データ受信バッファ、３は印刷制御バッファ、４は不揮発性メモリ、５はマイコン、６は印刷タイミング生成手段、７はオペレータパネル、８は用紙終端検出センサ、９はハンマ駆動手段、１０は印刷ハンマ、１１はシャトル位置検出センサ、１２はシャトルである。
【図１】
2007144695.tif 000003
【図２】
2007144695.tif 000004